(57)【要約】      （修正有）【課題】本考案は、複数のプロトコルに対応し、持ち運びが容易であるスキャナ型ゲートウエイ機器を提供する。【解決手段】スキャナ型ゲートウエイ機器（生体データ転送装置６２０）は、バーコードリーダー又はＩＣタグリーダーにより被検体を識別する識別部（６２１）と、被検体のデータを読み取り又は受信する読取通信部（生体データ受信部６２３）と、データを、インターネットを介してサーバに送信する無線ＬＡＮ（通信部６２５）と、動作に必要な電力を蓄電する電源部（６２７）と、を備える。【選択図】図１０
0003207466.tif 000002
【実用新案登録請求の範囲】
【請求項１】
バーコードリーダー又はＩＣタグリーダーにより被検体を識別する識別部と、
前記被検体のデータを読み取り又は受信する読取通信部と、
前記データを、インターネットを介してサーバに送信する無線ＬＡＮと、
動作に必要な電力を蓄電する電源部と、を備えるスキャナ型ゲートウエイ機器。
【請求項２】
前記データを記憶する記憶部を備え、
前記読取通信部で読み取られ又は受信された前記データは、前記記憶部に保存された後に前記無線ＬＡＮにより前記サーバに送信される請求項１に記載のスキャナ型ゲートウエイ機器。
【請求項３】
前記読取通信部は、ＩＣタグリーダー、ＢＬＥモジュール、ＵＳＢ、又は赤外線通信の少なくとも１つを含む請求項１又は請求項２に記載のスキャナ型ゲートウエイ機器。
【請求項４】
手で持たれる保持領域と、
前記保持領域が持たれた状態で、前記識別部をかざす領域である識別領域と、を有する請求項１から請求項３のいずれか一項に記載のスキャナ型ゲートウエイ機器。
【請求項５】
前記被検体の情報を表示する表示部を備える請求項１から請求項４のいずれか一項に記載のスキャナ型ゲートウエイ機器。
【考案の詳細な説明】
【技術分野】
【０００１】
本考案は、スキャナ型ゲートウエイ機器に関する。
【背景技術】
【０００２】
血圧等の生体データは健康管理に役立てることができるため、継続的に生体データを測定したい場合がある。しかし、生体データの収集及び管理には手間がかかり、継続的な生体データの管理の妨げとなる場合があった。これに対して、例えば、特許文献１では、生体データの計測機器と中継器とがＢｌｕｅｔｏｏｔｈ（登録商標）により接続され、生体データが計測機器から中継器を介して管理サーバに送信されることにより生体データを簡易に登録し管理するシステムが示されている。
【先行技術文献】
【特許文献】
【０００３】
【特許文献１】特開２０１４−２１５７０９号公報
【考案の概要】
【考案が解決しようとする課題】
【０００４】
しかし、特許文献１では、計測機器と中継器とがＢｌｕｅｔｏｏｔｈ（登録商標）のみにより接続されており、計測機器が他のプロトコルを有する場合には計測機器と中継器との接続を行うことができないという問題がある。また、異なるプロトコルを備える既存の計測機器を有している場合には、全ての計測機器を揃え直してプロトコルを統一することもコスト面から考えて困難である。
【０００５】
そこで、本考案は、複数のプロトコルに対応し、持ち運びが容易であるスキャナ型ゲートウエイ機器を提供することを目的とする。
【課題を解決するための手段】
【０００６】
第１観点のスキャナ型ゲートウエイ機器は、バーコードリーダー又はＩＣタグリーダーにより被検体を識別する識別部と、被検体のデータを読み取り又は受信する読取通信部と、データを、インターネットを介してサーバに送信する無線ＬＡＮと、動作に必要な電力を蓄電する電源部と、を備える。
【０００７】
第２観点のスキャナ型ゲートウエイ機器は、第１観点において、データを記憶する記憶部を備え、読取通信部で読み取られ又は受信されたデータが記憶部に保存された後に無線ＬＡＮによりサーバに送信される。
【０００８】
第３観点のスキャナ型ゲートウエイ機器は、第１観点及び第２観点において、読取通信部が、ＩＣタグリーダー、ＢＬＥモジュール、ＵＳＢ、又は赤外線通信の少なくとも１つを含む。
【０００９】
第４観点のスキャナ型ゲートウエイ機器は、第１観点から第３観点において、手で持たれる保持領域と、保持領域が持たれた状態で、識別部をかざす領域である識別領域と、を有する。
【００１０】
第５観点のスキャナ型ゲートウエイ機器は、第１観点から第４観点において、被検体の情報を表示する表示部を備える。
【考案の効果】
【００１１】
本考案のスキャナ型ゲートウエイ機器によれば、複数のプロトコルに対応することができ、持ち運びが容易である。
【図面の簡単な説明】
【００１２】
【図１】健康管理システム１００の構成図である。
【図２】（ａ）は、生体データ転送装置２２０の概略斜視図である。  （ｂ）は、生体データ転送装置２２０の概略構成図である。
【図３】生体データ測定装置２１０の生体データ転送装置２２０への登録方法が示されたフローチャートである。
【図４】（ａ）は、健康管理システム３００の登録方法が示されたフローチャートである。  （ｂ）は、健康管理システム３００の部分構成図である。
【図５】管理システム４００の構成図である。
【図６】生体データ転送装置５２０が示された図である。
【図７】生体データ転送装置５２０の概略構成図である。
【図８】生体データ転送装置５２０を用いて生体データを管理サーバ２４０に送信するまでの過程が示されたフローチャートである。
【図９】生体データ転送装置６２０が示された図である。
【図１０】生体データ転送装置６２０の概略構成図である。
【考案を実施するための形態】
【００１３】
以下、本考案の実施の形態を図面に基づいて詳細に説明する。なお、本考案の範囲は以下の説明において特に本考案を限定する旨の記載がない限り、これらの形態に限られるものではない。
【００１４】
（第１実施形態）
＜健康管理システム１００の構成＞
図１は、健康管理システム１００の構成図である。健康管理システム１００は、健康管理システム１００を使用する使用者１１０の生体データを取得して健康管理を行うためのシステムであり、生体データ測定装置２１０及び生体データ転送装置２２０を含んで構成されている。
【００１５】
生体データ測定装置２１０は使用者１１０の生体データを測定する装置であり、例えば、体温計、血圧計、体重計、体脂肪計、心電計、睡眠計等である。また、生体データ測定装置２１０には近距離無線通信を行うことができる機能が備えられており、測定した使用者１１０の生体データを生体データ転送装置２２０に転送することができる。近距離無線通信には、例えばＢｌｕｅｔｏｏｔｈ（登録商標）、無線ＬＡＮ等を用いることができる。
【００１６】
生体データ転送装置２２０は、生体データ測定装置２１０で測定した使用者１１０の生体データを、インターネット又はイントラネット等のネットワークを介して他所に転送し、又はハードディスク等の記憶装置に転送する装置である。例えば、生体データ転送装置２２０は常時電源が入れられた状態で使用され、生体データ測定装置２１０の電源が入れられた場合に自動で生体データ測定装置２１０と生体データ転送装置２２０とが接続される。また、生体データ転送装置２２０は、インターネットを介して管理サーバ２４０に接続される。生体データ測定装置２１０及び生体データ転送装置２２０は、使用者１１０により管理される。
【００１７】
管理サーバ２４０は、健康管理システム１００の管理者１２０により管理され、インターネットを介して生体データ転送装置２２０に接続される。管理者１２０は管理サーバ２４０を介して健康管理システム１００を管理する。管理サーバ２４０には使用者１１０の顧客番号、氏名、住所、電話番号等の使用者情報が保存される。
【００１８】
健康管理システム１００では、例えばクラウドコンピューティング１６０（以下、クラウド１６０）を介して管理サーバ１２０と生体データ転送装置２２０とが接続され、生体データ測定装置２１０で測定された生体データが生体データ転送装置２２０及びクラウド１６０を介して管理サーバ１２０に転送され、管理サーバ１２０に保存される。この場合、使用者１１０は、例えばインターネットを介して管理者１２０が管理するウェブサイトで自己の生体データを確認することができる。また、生体データは、クラウド１６０を介して医療・介護機関１４０及び使用者１１０とは離れて住む使用者１１０の家族１５０等と共有されても良い。
【００１９】
また、健康管理システム１００は、生体データ転送装置２２０に有線又は無線で接続される情報端末２３０を含んでいても良い。この場合、例えば、使用者１１０は情報端末２３０を用いて測定した生体データを確認し、生体データ転送装置２２０の設定、管理を行うことができる。情報端末２３０には、例えばタブレット、スマートフォン、ＰＣ（パソコン）等を用いることができる。また、情報端末２３０は健康管理システム１００のためのみに用いることとし、情報端末２３０の起動時に自動的に健康管理システム専用のソフトウエアが立ち上がるように設定されることが好ましい。この場合、使用者１１０はパソコン等に詳しくなくても、健康管理システム１００を容易に使用することができる。
【００２０】
健康管理システム１００では、使用者１１０の生体データを医療・介護機関１４０及び使用者１１０の家族１５０等とクラウド１６０を介して共有することができる。そのため、使用者１１０が医療・介護機関１４０及び家族１５０等と離れて暮らしていても、医療・介護機関１４０及び家族１５０等は随時使用者１１０の健康状態を把握することができる。また、使用者１１０は、機器の設定等に詳しくなくても、基本的に生体データ転送装置２２０の使用方法さえ把握していれば健康管理システム１００を使用することができる。
【００２１】
図２（ａ）は、生体データ転送装置２２０の概略斜視図である。生体データ転送装置２２０は、例えば略直方体状の箱型に形成され、使用者１１０が容易に持ち運ぶことができる大きさ及び重さに形成される。
【００２２】
図２（ｂ）は、生体データ転送装置２２０の概略構成図である。生体データ転送装置２２０は、生体データ測定装置２１０から近距離無線通信により使用者１１０の生体データを受信する生体データ受信部２２１と、インターネットを介して管理サーバ２４０に接続され、生体データ測定装置２１０から受信した使用者１１０の生体データを管理サーバ２４０に送信する通信部２２２と、を有している。
【００２３】
生体データ受信部２２１は、生体データ測定装置２１０の近距離無線通信に対応するＢｌｕｅｔｏｏｔｈ（登録商標）又は無線ＬＡＮ等の通信を行うことができる機能を備えている。図２（ｂ）では、生体データ受信部２２１が、Ｂｌｕｅｔｏｏｔｈ（登録商標）の仕様の１つであるＢｌｕｅｔｏｏｔｈ  Ｌｏｗ  Ｅｎｅｒｇｙ（以下、ＢＬＥ）モジュール２２３及び無線ＬＡＮ２２４を有しているとして示されている。使用者１１０の生体データが生体データ測定装置２１０で測定された後に、近距離無線通信により生体データ測定装置２１０から生体データ受信部２２１に生体データが送信される。
【００２４】
通信部２２２は、例えば無線ＬＡＮ又は有線ＬＡＮ等によりインターネットに接続され、生体データ受信部２２１が受信した生体データを管理サーバ２４０に送信する。また、通信部２２２は、生体データ転送装置２２０に書き込まれる生体データ測定装置２１０の登録情報を受信することができる（図３のステップＳ１０３ａ参照）。さらに、通信部２２２は、情報端末２３０と接続され、生体データが通信部２２２から情報端末２３０に送信されても良い。通信部２２２と情報端末２３０との間の通信は、無線ＬＡＮ、有線ＬＡＮ、ＵＳＢ、又はＢｌｕｅｔｏｏｔｈ（登録商標）等を用いられても良い。
【００２５】
＜生体データ測定装置２１０の登録方法１＞
初めに健康管理システム１００が使用者１１０に購入されたときに、健康管理システム１００は、例えば健康管理システム１００の販売者又は管理者等が使用者１１０の家に訪問して全ての設定を行うことが考えられる。また、生体データ測定装置２１０、情報端末２３０、及び生体データ転送装置２２０間の設定が全て行われ、使用者１１０が生体データ転送装置２２０にＬＡＮケーブルを差し込むだけで健康管理システム１００を使用できるようにされた状態で使用者１１０に届けられることが考えられる。これらの場合、使用者１１０が機器の設定等に詳しくなかったとしても、使用者１１０は容易に健康管理システム１００の使用を開始することができる。また、健康管理システム１００では、使用者１１０が健康管理システム１００の使用を開始した後に新たな生体データ測定装置２１０を購入し、購入した生体データ測定装置２１０を生体データ転送装置２２０に登録して購入した生体データ測定装置２１０を使用しても良い。
【００２６】
図３は、生体データ測定装置２１０の生体データ転送装置２２０への登録方法が示されたフローチャートである。以下に、図３を参照して、生体データ測定装置２１０の生体データ転送装置２２０への登録方法１について説明する。
【００２７】
ステップＳ１０１では、使用者１１０が販売者１３０から生体データ測定装置２１０を購入する。販売者１３０は、例えば、薬局、家電販売店、通信販売を行う業者等である。登録方法１では、ステップＳ１０１の後にステップＳ１０２ａが行われる。
【００２８】
ステップＳ１０２ａでは、使用者１１０の使用者情報と生体データ測定装置２１０の登録情報とが販売者１３０から管理者１２０に伝えられる。ステップＳ１０２ａは登録情報入手ステップである。生体データ測定装置２１０の登録情報は、例えば生体データ測定装置２１０のＭＡＣアドレス等のネットワーク上で生体データ測定装置２１０を識別する物理アドレスである。ステップＳ１０２ａでは、販売者１３０が使用者１１０から使用者情報を聞き、販売者１２０が使用者情報と共に購入された生体データ測定装置２１０の登録情報を管理者１２０に伝えることにより、管理者１２０が使用者情報及び登録情報を入手する。
【００２９】
使用者１１０から販売者１３０に使用者情報を伝える方法としては、口頭で伝える方法がある。また、使用者１１０が健康管理システム１００を購入したときに顧客番号等の使用者情報が付されたカードを使用者１１０に渡しておき、使用者１１０が新たに生体データ測定装置２１０を購入するときにカードを販売者１３０に見せることにより販売者１３０に使用者情報を伝えても良い。さらに、通信販売を介して新たな生体データ測定装置２１０が購入される場合には、電話、郵便、メール、又はインターネット上への使用者情報の入力等により販売者１３０に使用者情報が伝えられる。
【００３０】
販売者１３０から管理者１２０に使用者情報及び登録情報を伝える方法としては、電話、郵便、メール、又はインターネット上への入力等が考えられる。例えば、電話の場合には、管理者１２０が販売者１３０の有する使用者情報と同一の情報を有しているか否かを確認しながら伝えることができるため好ましい。ステップＳ１０２ａの後にはステップＳ１０３ａが行われる。
【００３１】
ステップＳ１０３ａでは、生体データ転送装置２２０に登録情報が書き込まれる。ステップＳ１０３ａは、登録情報書込みステップである。ステップＳ１０３ａでは、管理者１２０が入手した使用者情報を基に登録情報を書き込むべき生体データ転送装置２２０が特定され、管理者１２０によって特定された生体データ転送装置２２０に登録情報が書き込まれる。
【００３２】
ステップＳ１０４では、生体データ測定装置２１０が生体データ転送装置２２０に登録される。これは、例えば生体データ測定装置２１０と生体データ転送装置２２０とを接続する近距離無線通信がＢｌｕｅｔｏｏｔｈ（登録商標）である場合には、この登録で生体データ測定装置２１０と生体データ転送装置２２０とのペアリングが完了することになる。生体データ測定装置２１０が生体データ転送装置２２０に登録されることにより、生体データ測定装置２１０が健康管理システム１００の一部として使用可能になる。
【００３３】
登録方法１では、使用者１１０は販売者１３０に使用者情報を伝え又は販売者１３０にカードを提示する等の簡単な行動のみで生体データ測定装置２１０を生体データ転送装置２２０に登録することができる。そのため、装置の設定等を苦手とする使用者１１０が新たに生体データ測定装置２１０を購入した場合でも、購入した生体データ測定装置２１０を健康管理システム１００の一部として容易に使用することができる。
【００３４】
また、従来は使用者１００が購入した生体データ測定装置２１０を登録するために販売者１３０又は管理者１２０に自宅まで来てもらう場合があったが、上記の登録方法１では、販売者１３０又は管理者１２０が使用者１００宅に出向く必要がなく、使用者１００は購入した生体データ測定装置２１０を登録するために管理者１２０に来てもらう等の新たな出費をしなくて済むため好ましい。さらに、登録方法１では管理者１２０がインターネットを介して登録を行うため登録を迅速に行うことができ、場合によっては使用者１１０が購入した生体データ測定装置２１０を持って帰宅してすぐに生体データ測定装置２１０を健康管理システム１００の一部として使用することも可能になる。
【００３５】
＜生体データ測定装置２１０の登録方法２＞
図３のステップＳ１０２ａの登録情報入手ステップでは、販売者１３０が管理者１２０に使用者情報及び登録情報を伝えたが、使用者１１０自身が管理者１２０に使用者情報及び登録情報を伝えても良い。以下に、ステップＳ１０２ａの代わりに使用者１１０自身が管理者１２０に使用者情報及び登録情報を伝えるステップＳ１０２ｂを行う登録方法２について説明する。
【００３６】
図３のステップＳ１０２ｂでは、使用者１１０の使用者情報と生体データ測定装置２１０の登録情報とが使用者１１０から管理者１２０に伝えられる。ステップＳ１０２ｂは登録情報入手ステップである。使用者１１０は、販売者１３０又は購入した生体データ測定装置２１０の説明書等から登録情報を取得し、使用者情報と共に電話等で管理者１２０に知らせる。
【００３７】
また、登録情報には例えば生体データ測定装置２１０のＭＡＣアドレスが用いられるが、ＭＡＣアドレスは１２桁１６進数で表された長いアドレスであり、使用者１１０の見間違い、伝え間違い、管理者１２０の聞き間違い、又はパソコン入力を行う場合には入力間違い等が生じやすい。そのため、登録情報としてＭＡＣアドレスが短く変換されたアドレスを用いても良い。ＭＡＣアドレスの変換では、例えば数字及びアルファベットを用いて３２進数のアドレスとして変換することが考えられる。この場合、１２桁のＭＡＣアドレスを４桁にまで短くすることができる。また、例えばダミーコードを加えて６桁のアドレスとしても、ＭＡＣアドレスを半分の桁数に変換できるため、入力間違い等により生体データ測定装置２１０の登録を行うことができない事態を少なくすることができる。このように変換されたアドレスの使用は、例えば生体データ測定装置の説明書等に記載してもらうこと等により行うことができる。
【００３８】
＜生体データ測定装置２１０の登録方法３＞
図３のステップＳ１０２ａの登録情報入手ステップでは、使用者１１０自身が登録情報を入手し、ステップＳ１０３ａの登録情報書込みステップでは使用者１１０自身が生体データ転送装置２２０に登録情報を書き込んでも良い。以下に、使用者１１０自身が生体データ転送装置２２０に登録情報を書き込む登録方法３について説明する。
【００３９】
図３のステップＳ１０２ｃでは、生体データ測定装置２１０の登録情報が使用者１１０により入手される。ステップＳ１０２ｃは登録情報入手ステップである。使用者１１０は、販売者１３０に聞くことにより、又は購入した生体データ測定装置２１０の説明書等から登録情報を入手することができる。ステップＳ１０２ｃの後にはステップＳ１０３ｂが行われる。
【００４０】
ステップＳ１０３ｂでは、使用者１１０により生体データ転送装置２２０に登録情報が書き込まれる。ステップＳ１０３ｂは、登録情報書込みステップである。ステップＳ１０３ｂでは、例えば情報端末２３０を介して生体データ転送装置２２０に新たに購入した生体データ測定装置２１０の登録情報を書き込むことができる。
【００４１】
ステップＳ１０３ｂで情報端末２３０が使用される場合には、情報端末２３０に健康管理システム１００の専用のソフトウエアがインストールされ、専用のソフトウエアを介して登録情報を書き込むことができるようにされることが望ましい。専用のソフトウエアを介して書込みを行うようにすることにより、登録情報を書き込む位置を分かり易く表示する等のサポートを行い易くなるため、使用者１１０が登録情報の書き込み方法に迷うことを防ぐことができる。また、登録方法２で述べられたように、登録情報としてＭＡＣアドレスを変換して短縮されたアドレスを用いた場合には、入力ミス等を防ぐことができるため好ましい。
【００４２】
（第２実施形態）
第１実施形態では、主に管理者１２０又は使用者１１０が登録情報を生体データ転送装置２２０に登録したが、自動で登録されるシステムとされても良い。以下に、登録情報が生体データ転送装置２２０に自動で登録される健康管理システム３００について説明する。
【００４３】
＜健康管理システム３００の構成＞
図４（ａ）は、健康管理システム３００の登録方法が示されたフローチャートである。健康管理システム３００は健康管理システム１００の一例であり、第１実施形態の登録方法１において、管理者１２０の役割を主に管理サーバ２４０が行っている。
【００４４】
図４（ｂ）は、健康管理システム３００の部分構成図である。健康管理システム３００の基本的な構成は図１に示される健康管理システム１００と同じであり、図４（ｂ）では健康管理システム３００の説明に必要な部分のみが示されており、使用者情報又は登録情報等の情報の流れが矢印により示されている。健康管理システム３００では、管理サーバ２４０が、使用者情報及び登録情報を受信する受信部２４１、使用者情報を記憶している記憶部２４２、入力された使用者情報と記憶部２４２の使用者情報との一致又は不一致を判断する判断部２４３、及び登録情報を生体データ転送装置２２０に登録する登録部２４４を有している。以下に図４（ａ）のフローチャート及び図４（ｂ）の部分構成図を用いて、健康管理システム３００の登録方法を説明する。
【００４５】
ステップＳ２０１では、使用者情報が販売者１３０に伝えられる。使用者１１０が生体データ測定装置２２０を購入したときに、販売者１３０に使用者情報を伝える。この時点で、販売者１３０は使用者情報及び生体データ測定装置２２０の登録情報を有することになる。
【００４６】
ステップＳ２０２では、使用者情報及び登録情報が販売者１３０により管理サーバ２４０に送信される。ステップＳ２０２では、例えば、販売者１３０が管理者２４０により管理される健康管理システム専用のホームページにアクセスし、使用者情報及び登録情報を入力することにより、使用者情報及び登録情報が管理サーバ２４１の受信部２４１に伝えられる。登録情報には例えばＭＡＣアドレスを用いることができ、また、短縮されたアドレスが用いられても良い。
【００４７】
ステップＳ２０３では、送信された使用者情報と記憶部２４２内の使用者情報との一致・不一致が判断される。管理サーバ２４０は、判断部２４３で受信した使用者情報を記憶部２４２内の使用者情報と照合し、一致・不一致を判断する。ステップＳ２０２からステップＳ２０３は、登録情報入手ステップに相当する。使用者情報が不一致であった場合にはステップＳ２０４に進み、一致した場合にはステップＳ２０５に進む。
【００４８】
ステップＳ２０４では、販売者１３０に使用者情報の再度の入力が促される。使用者情報が不一致であった場合には、販売者１３０が入力した使用者情報が間違っている可能性があるため、販売者１３０に対して再度の使用者情報の入力を促すことにより販売者１３０に入力した使用者情報の確認を求める。販売者１３０が再度使用者情報を入力した場合には、ステップＳ２０２に進む。
【００４９】
ステップＳ２０５では、登録情報が生体データ転送装置２２０に登録される。ステップＳ２０５は書込みステップに相当する。ステップＳ２０５では、送信された使用者情報に関連付けられた生体データ転送装置２２０に、登録部２４４がインターネットを介して登録情報を登録する。
【００５０】
（第３実施形態）
第１実施形態及び第２実施形態では生体データ測定装置２１０及び生体データ転送装置２２０を含む健康管理システムについて説明されたが、生体データ測定装置２１０は電気で作動する電気機器４１０であり、生体データ転送装置２２０は生体データ以外のデータをも転送するデータ転送装置４２０であり、健康管理システムは電気機器４１０等を管理する管理システム４００であっても良い。以下に、管理システム４００について説明する。
【００５１】
＜管理システム４００の構成＞
図５は、管理システム４００の構成図である。管理システム４００では、使用者１１０が使用するデータ転送装置４２０及び管理者１２０が管理する管理サーバ２４０がクラウド１６０等のインターネットに接続されている。管理システム４００では、この状態で、使用者１１０が例えば販売者１３０から電気製品４１０を新たに購入し、電気製品４１０をデータ転送装置４２０と近距離無線通信を介して接続したい場合に、電気製品４１０とデータ転送装置４２０との接続を容易に行うことができる。電気製品４１０は、例えば、デジタルカメラ又はＤＶＤレコーダー等の家電製品であり、電気製品４１０とデータ転送装置４２０とを接続することで、写真又は動画等の様々なデータをクラウド１６０上に保存し又は使用者１１０が外出時にスマートフォン等の携帯端末４３０を介してこれらの電気製品４１０を操作できるように設定できる。また、データ転送装置４２０は、例えば、ルーター、ＰＣ（パソコン）等である。
【００５２】
電気製品４１０とデータ転送装置４２０との間の接続は、図３に示される登録方法と同様の方法により行うことができる。すなわち、管理者１２０が販売者１３０又は使用者１１０から使用者情報及び電気製品４１０の登録情報を入手し（図３のステップＳ１０２ａ又はステップＳ１０２ｂ参照）、データ転送装置４２０に登録情報が管理者１２０により書き込まれ（図３のステップＳ１０３ａ参照）、電気製品４１０がデータ転送装置４２０に登録される（図３のステップＳ１０４参照）。
【００５３】
また、使用者１１０自身により登録情報をデータ転送装置４２０に書き込んでも良く（図３のステップＳ１０２ｃ、ステップ１０３ｂ参照）、図４（ａ）に示されるように自動で登録情報がデータ転送装置４２０に登録されても良い。さらに、使用者１１０は生体データを測定される者に限らず、生体データが測定される者の家族、看護師、介護者等であっても良く、管理者１２０と販売者１３０とは同一の者であっても良い。
【００５４】
（第４実施形態）
第１実施形態及び第２実施形態に示された健康管理システムは、複数の家族がいる家庭及び複数の患者がいる病院等で用いられても良い。これらの場合、生体データ測定装置２１０が複数の者によって使用され、複数の者の生体データが管理されることになる。しかし、生体データ測定装置２１０を複数の者が使用する場合では、単純に生体データ測定装置２１０から生体データ転送装置に生体データが送信されても誰の生体データか区別できず、生体データの管理が困難になる。以下に、生体データ測定装置２１０を複数の者が使用する場合でも生体データ管理が容易である生体データ転送装置５２０及び生体データ転送装置６２０について説明する。
【００５５】
＜生体データ転送装置５２０の構成＞
図６は、生体データ転送装置５２０が示された図である。生体データ転送装置５２０は、スキャナ部５２１とゲートウエイ部５２２とにより構成されている。スキャナ部５２１では主に生体データが測定される者である被検者５１０を識別するための情報（以下、被検者情報）が取得され、手で持ちやすい形状に形成されている。ゲートウエイ部５２２では、主に生体データ測定装置２１０により測定された被検者５１０の生体データが生体データ測定装置２１０から受信される。スキャナ部２２１とゲートウエイ部２２２とは、有線又は無線で接続されており、スキャナ部２２１で取得された被検者情報は、ゲートウエイ部２２２に送られる。
【００５６】
図７は、生体データ転送装置５２０の概略構成図である。生体データ転送装置５２０が用いられる場合には、生体データ測定装置２１０を使用する複数の被検者５１０が、それぞれ各被検者５１０の被検者情報を含む識別タグ５１１を有している。被検者情報は、例えば、氏名、特定の番号等の個人を特定するための１つ又は複数の情報であり、識別タグ５１１は、例えばバーコード、ＩＣタグ、又はＢｌｕｅｔｏｏｔｈ（登録商標）等である。生体データ転送装置５２０のスキャナ部５２１は、識別タグ５１１に対応し、識別タグ５１１から被検者５１０の被検者情報を読み取るための、例えば、ＢＬＥモジュール５２１ａ、赤外線バーコードリーダー５２１ｂ、又はＩＣタグリーダー５２１ｃを含んでいる。ここで、ＩＣタグリーダーはＮＦＣ及びフェリカ等のリーダーの上位概念であり、以降の説明で「ＩＣタグリーダー」と表記した場合にはＮＦＣ及びフェリカ等のリーダーである可能性を含んでいるものとする。
【００５７】
ゲートウエイ部５２２は、生体データ受信部５２３、記憶部５２４、及び通信部５２５を含んでいる。また、生体データ受信部５２３は生体データ測定装置２１０から生体データを受信するための、ＢＬＥモジュール５２３ａ、赤外線通信５２３ｂ、無線ＬＡＮ５２３ｃ、ＩＣタグリーダー５２３ｄ、及びＵＳＢ５２３ｅを含んでいる。生体データ測定装置２１０と生体データ転送装置５２０との間で通信接続のためのペアリング等の設定が必要である場合には、例えば第１実施形態から第３実施形態に示されるような方法により設定を行うことができる。
【００５８】
図８は、生体データ転送装置５２０を用いて生体データを管理サーバ２４０に送信するまでの過程が示されたフローチャートである。以下に、図８のフローチャートを、図７を参照しながら説明する。
【００５９】
図８のステップＳ３０１では、生体データの測定準備がなされる。生体データ転送装置５２０を使用する場合には、複数の被検者５１０に対して個別に識別タグ５１１が準備される。生体データ転送装置５２０が病院で使用される場合には、例えば各被検者５１０（患者）に識別タグ５１１が付されたリストバンドをしてもらう等により、識別タグ５１１を準備することができる。
【００６０】
ステップＳ３０２では、被検者５１０の識別タグ５１１が読み取られる。識別タグ５１１の読み取りはスキャナ部５２１が識別タグ５１１に当てられることにより行われ、これによって被検者情報が読み取られる。
【００６１】
ステップＳ３０３では、被検者５１０の生体データの測定が生体データ測定装置２１０により行われ、さらに測定された生体データが生体データ転送装置５２０に送られる。例えば、生体データ測定装置２１０が血圧計等でありＮＦＣリーダーに対応する機器であり、ＩＣタグリーダー５２３ｄがＮＦＣリーダーである場合には、生体データ転送装置５２０はＮＦＣリーダーであるＩＣタグリーダー５２３ｄにより生体データ測定装置２１０から生体データを受信することができる。ステップＳ３０３では、ステップＳ３０２の後に生体データが測定されて生体データ転送装置５２０に送られるのではなく、予め測定されていた生体データが生体データ転送装置５２０に送られても良い。また、複数の生体データが連続して生体データ転送装置５２０に送られても良い。
【００６２】
ステップＳ３０４では、被検者情報と生体データとが関連付けられて記憶部５２４に記憶される。生体データと被検者情報とが関連付けられて保存されることにより、誰の生体データであるかが明確になり、生体データの管理が容易になる。
【００６３】
ステップＳ３０５では、他の被検者の生体データの測定を行うか否かが判断される。他の被検者５１０の測定を行う場合はステップＳ３０２に進み、行わない場合にはステップＳ３０６に進む。
【００６４】
ステップＳ３０６では、被検者情報に関連付けられた生体データが管理サーバ２４０に送信される。生体データ測定装置２１０及び生体データ転送装置５２０が病院内で使用される場合等には、管理サーバ２４０が病院内に設置されていても良い。この場合、生体データは管理サーバ２４０に送信されると共に電子カルテに自動的に入力されても良い。さらに、生体データが情報端末２３０に送られて測定された生体データがその場で確認され、生体データが確認された後に管理サーバ２４０に送信されても良い。
【００６５】
生体データ転送装置５２０が用いられた場合には、複数の被検者５１０の生体データを測定する場合であっても、各被検者５１０の生体データがそれぞれ被検者情報に関連付けられているため、生体データの管理が容易である。また、生体データ転送装置が、生体データ受信部５２３は生体データ測定装置２１０から生体データを受信するための、ＢＬＥモジュール５２３ａ、赤外線通信５２３ｂ、無線ＬＡＮ５２３ｃ、ＩＣタグリーダー５２３ｄ、及びＵＳＢ５２３ｅ等の複数の受信手段を有している場合には、生体データ転送装置５２０を導入する前から使用している生体データ測定装置にも対応させやすく好ましい。
【００６６】
＜生体データ転送装置６２０の構成＞
図９は、生体データ転送装置６２０が示された図である。生体データ転送装置６２０は、全体形状がハンディスキャナ型に形成されたスキャナ型ゲートウエイ機器であり、手で持つための保持領域６２０ａと、識別タグ５１１から被検者情報を得るための識別領域６２０ｂと、を有している。生体データ転送装置６２０では、識別領域６２０ｂを識別タグ５１１に当てることにより被検者情報を取得することができる。また、保持領域６２０ａの一部には、情報を表示させるための表示部６２６が形成されている。
【００６７】
図１０は、生体データ転送装置６２０の概略構成図である。生体データ転送装置６２０は、被検者５１０の識別タグ５１１から被検者情報を読み取る識別部６２１と、生体データ測定装置６２０から被検者５１０の生体データを受け取る生体データ受信部６２３と、を含んでいる。識別部６２１は、被検者情報を受信し易いように、主に生体データ転送装置６２０の識別領域６２０ｂに配置される。また、読み込まれた被検者情報の一部は、表示部６２６に表示されても良い。被検者５１０の生体データを測定する場合には、例えば、識別タグ５１１を読み込んで被検者５１０の被検者識別情報を生体データ転送装置６２０に読み込ませ、その後に、被検者５１０の生体データを測定し、生体データを生体データ受信部６２３により受信する。この際に、表示部６２６に被検者５１０の氏名等を表示した状態で生体データを受信することで、被検者５１０と生体データとの関係を確認すると共に被検者情報と生体データとが関連付けられた状態で生体データを受信しても良い。
【００６８】
生体データ受信部６２３では、生体データ測定装置２１０から、生体データ測定装置２１０により測定された被検者５１０の生体データを受信する。生体データ受信部６２３は、例えば、ＢＬＥモジュール６２３ａ、赤外線通信６２３ｂ、ＩＣタグリーダー６２３ｄ、又はＵＳＢ６２３ｅの中の少なくとも１つを含んでいる。ＢＬＥモジュール６２３ａと生体データ測定装置２１０とは、第１実施形態から第３実施形態で示されたようなペアリング等の登録方法により登録されることができる。
【００６９】
識別部６２１で受信した被検者情報及び生体データ受信部６２３で受信された生体データは、記憶部６２４に送られ、被検者情報と生体データとが互いに関連付けられた状態で保存される。生体データは、無線ＬＡＮである通信部６２５によりインターネットを介して管理サーバ２４０に送られる。また、生体データの一部又は全部が表示部６２６に表示され、生体データの送信前又は送信後に生体データが確認されても良い。
【００７０】
また、生体データ転送装置６２０は、動作に必要な電力を蓄電する電源部６２７を備えている。生体データ転送装置６２０は、持ち運びが容易であり、手で持ちながら被検者情報及び生体データを取得することができるという特徴があり、電源部６２７を備えることで持ち運び及び使用の自由度が高くなる。電源部６２７は、充電器により充電される。
【００７１】
生体データ転送装置６２０は、病院等で用いられる場合に、生体データの転送以外の用途に用いられても良い。例えば、病院内で使用される各装置にそれぞれバーコード又はＩＣタグ等の識別タグを付して、識別部６２１で読み取ることができるようにし、各装置の資材管理が成されても良い。この場合、被検者５１０は被検者５１０だけではなく各装置等も含んだ概念である「被検体」と置き換え、生体データは各装置の情報等を含んだ概念として単に「データ」とし、生体データ受信部６２３は生体データ以外の「データ」も受信することができる「読取通信部」とし、生体データ転送装置６２０は生体データ以外の「データ」をも転送できる「スキャナ型ゲートウエイ機器」とすることができる。また、例えば、患者に点滴をする場合、患者の識別タグ５１１及び点滴の識別タグを読み取ることで電子カルテに点滴の実施が記載されると共に、点滴の在庫管理、期限管理等が成されても良い。
【００７２】
以上、本考案の最適な実施形態について詳細に説明したが、当業者に明らかなように、本考案はその技術的範囲内において実施形態に様々な変更・変形を加えて実施することができる。また、各実施形態の一部が様々に組み合わせされて実施されても良い。
【符号の説明】
【００７３】
１００、３００  …  健康管理システム
１１０  …  使用者
１２０  …  管理者
１３０  …  販売者
１４０  …  医療・介護機関
１５０  …  家族
１６０  …  クラウド
２１０  …  生体データ測定装置
２２０、５２０、６２０  …  生体データ転送装置
２２１、６２３  …  生体データ受信部
２２２、６２５  …  通信部
２２３  …  ＢＬＥモジュール
２２４  …  無線ＬＡＮ
２３０  …  情報端末
２４０  …  管理サーバ
２４１  …  受信部
２４２、５２４、６２４  …  記憶部
２４３  …  判断部
２４４  …  登録部
４００  …  管理システム
４１０  …  電気機器
４２０  …  データ転送装置
４３０  …  携帯端末
５１０  …  被験者
５２１  …  スキャナ部
５２１ａ、６２１ａ  …  ＢＬＥモジュール
５２１ｂ、６２１ｂ  …  赤外線バーコードリーダー
５２１ｃ、６２１ｃ  …  ＩＣタグリーダー
５２３  …  ゲートウエイ部
５２３ａ、６２３ａ  …  ＢＬＥモジュール
５２３ｂ、６２３ｂ  …  赤外線通信
５２３ｃ、６２３ｃ  …  無線ＬＡＮ
５２３ｄ、６２３ｄ  …  ＩＣタグリーダー
５２３ｅ、６２３ｅ  …  ＵＳＢ
６２０ａ  …  保持領域
６２０ｂ  …  識別領域
６２１  …  識別部
６２３  …  生体データ受信部
６２６  …  表示部
６５０  …  充電器
【図１】
0003207466.tif 000003
【図２】
0003207466.tif 000004
【図３】
0003207466.tif 000005
【図４】
0003207466.tif 000006
【図５】
0003207466.tif 000007
【図６】
0003207466.tif 000008
【図７】
0003207466.tif 000009
【図８】
0003207466.tif 000010
【図９】
0003207466.tif 000011
【図１０】
0003207466.tif 000012